(57)【要約】【課題】海水由来か否かを簡便、且つ迅速に判定することができる液状物質の簡易判定装置を提供することにある。【解決手段】海水の基準値を設定する海水の基準値設定部２２と、液状物質１の導電率およびｐＨおよびイオン濃度を計測する導電率計１１およびｐＨ計１２およびイオンメータ１３と、導電率計１１で得られた液状物質１の導電率の計測値および前記海水の導電率の基準値と、前記海水のイオン濃度の基準値に基づき、前記イオン濃度の計算値を演算するイオン濃度演算部２４と、前記基準値および前記イオン濃度の計算値に基づきこれらの基準範囲を演算する基準範囲演算部２３と、前記イオン濃度の計算値と前記イオン濃度の計算値の基準範囲とイオンメータ１３で得られたイオン濃度の計測値に基づき前記液状物質が海水であるか否かを判定する判定部２６とを具備する。【選択図】図１
2015161561.tif 000002
【特許請求の範囲】
【請求項１】
液状物質が海水由来か否かを判定する液状物質の簡易判定装置であって、
海水の基準値を設定する海水基準値設定手段と、
前記液状物質のｐＨを計測するｐＨ計測手段と、
前記液状物質の導電率を計測する導電率計測手段と、
前記液状物質のイオン濃度を計測するイオン濃度計測手段と、
前記導電率計測手段で得られた前記液状物質の導電率の計測値および前記海水の導電率の基準値と、前記海水のイオン濃度の基準値に基づき、前記イオン濃度の計算値を演算するイオン濃度演算手段と、
前記基準値および前記イオン濃度の計算値に基づきこれらの基準範囲を演算する基準範囲演算手段と、
前記イオン濃度の計算値と前記イオン濃度の計算値の基準範囲と前記イオン濃度計測手段で得られた計測値に基づき前記液状物質が海水であるか否かを判定する判定手段とを具備する
ことを特徴とする液状物質の簡易判定装置。
【請求項２】
請求項１に記載された液状物質の簡易判定装置であって、
前記判定手段は、「前記イオン濃度の計算値が、前記イオン濃度の基準範囲内である」、「前記イオン濃度の計測値の全てが、前記イオン濃度の計算値の基準範囲内である」、「前記ｐＨの計測値が基準範囲内である」の全ての条件を満たしたときに、前記液状物質が海水であると判定する
ことを特徴とする液状物質の簡易判定装置。
【請求項３】
請求項１または請求項２に記載された液状物質の簡易判定装置であって、
前記判定手段は、「前記イオン濃度の計算値が、前記イオン濃度の基準範囲内である」と「前記イオン濃度の計測値の少なくとも１つが前記イオン濃度の計算値の基準範囲内である」との条件を満たすが、「前記イオン濃度の計測値の全てが、前記イオン濃度の計算値の基準範囲内である」と「前記ｐＨの計測値が基準範囲内である」の条件を満たさないときに、前記液状物質は、海水に何かが混入したものであると判定する
ことを特徴とする液状物質の簡易判定装置。
【請求項４】
請求項１から請求項３の何れか一項に記載された液状物質の簡易判定装置であって、
前記イオン濃度の比率を演算するイオン濃度比率演算部をさらに具備し、
前記判定手段は、「前記イオン濃度の計算値が、前記イオン濃度の基準範囲内である」の条件を満たさないが、「前記イオン濃度の計測値が前記イオン濃度の計算値の基準範囲外である」と「前記イオン濃度の計測値の少なくとも１つが前記イオン濃度の計算値の基準範囲下限値以上である」と「前記ｐＨの計測値が前記基準範囲外である」と「前記導電率の計測値が基準値よりも小さい、且つ、前記イオン濃度の計測値の比率が前記基準値の比率と同じである」との条件を満たすときに、前記液状物質は、海水が希釈されたものであると判定する
ことを特徴とする液状物質の簡易判定装置。
【請求項５】
請求項１から請求項４の何れか一項に記載された液状物質の簡易判定装置であって、
前記判定手段は、「前記イオン濃度の計算値が、前記イオン濃度の基準範囲内である」と「前記イオン濃度の計測値の少なくとも１つが前記イオン濃度の計算値の基準範囲下限値以上である」との条件を満たさないが、「前記イオン濃度の計測値がイオン濃度の計算値の基準範囲外である」と「前記導電率の計測値が１０００μＳ／ｃｍ以下である」との条件を満たすときに、前記液状物質は淡水であると判定する
ことを特徴とする液状物質の簡易判定装置。
【請求項６】
請求項１から請求項５の何れか一項に記載された液状物質の簡易判定装置であって、
前記イオン濃度は、ナトリウムイオン濃度と塩素イオン濃度とカルシウムイオン濃度である
ことを特徴とする液状物質の簡易判定装置。
【請求項７】
請求項１から請求項６の何れか一項に記載された液状物質の簡易判定装置であって、
前記イオン濃度の計算値は、前記液状物質の導電率の計測値と前記海水の導電率の基準値の比と、前記イオン濃度の計測値に基づき算出される
ことを特徴とする液状物質の簡易判定装置。
【請求項８】
請求項１から請求項７の何れか一項に記載された液状物質の簡易判定装置であって、
前記基準範囲は、前記基準値または前記計算値の±１０％の範囲である
ことを特徴とする液状物質の簡易判定装置。
【請求項９】
液状物質が海水由来か否かを判定する液状物質の簡易判定方法であって、
前記液状物質のｐＨおよび導電率およびイオン濃度を計測し、
前記液状物質の導電率の計測値および前記海水の導電率の基準値と、前記海水のイオン濃度の基準値に基づき、前記イオン濃度の計算値を演算し、
前記基準値および前記イオン濃度の計算値に基づき、これらの基準範囲を演算し、
前記イオン濃度の計算値と前記イオン濃度の計算値の基準範囲と前記イオン濃度の計測値に基づき、前記液状物質が海水であるか否かを判定する
ことを特徴とする液状物質の簡易判定方法。
【請求項１０】
請求項９に記載された液状物質の簡易判定方法であって、
「前記イオン濃度の計算値が、前記イオン濃度の基準範囲内である」、「前記イオン濃度の計測値の全てが、前記イオン濃度の計算値の基準範囲内である」、「前記ｐＨの計測値が基準範囲内である」の全ての条件を満たしたときに、前記液状物質が海水であると判定する
ことを特徴とする液状物質の簡易判定方法。
【請求項１１】
請求項９または請求項１０に記載された液状物質の簡易判定方法であって、
「前記イオン濃度の計算値が、前記イオン濃度の基準範囲内である」と「前記イオン濃度の計測値の少なくとも１つが前記イオン濃度の計算値の基準範囲内である」との条件を満たすが、「前記イオン濃度の計測値の全てが、前記イオン濃度の計算値の基準範囲内である」と「前記ｐＨの計測値が基準範囲内である」の条件を満たさないときに、前記液状物質は、海水に何かが混入したものであると判定する
ことを特徴とする液状物質の簡易判定方法。
【請求項１２】
請求項９から請求項１１の何れか一項に記載された液状物質の簡易判定方法であって、
前記イオン濃度の基準値に基づきイオン濃度の基準値の比率を演算すると共に、前記イオン濃度の計測値に基づきイオン濃度の計測値の比率を演算し、
「前記イオン濃度の計算値が、前記イオン濃度の基準範囲内である」の条件を満たさないが、「前記イオン濃度の計測値が前記イオン濃度の計算値の基準範囲外である」と「前記イオン濃度の計測値の少なくとも１つが前記イオン濃度の計算値の基準範囲下限値以上である」と「前記ｐＨの計測値が前記基準範囲外である」と「前記導電率の計測値が基準値よりも小さい、且つ、前記イオン濃度の計測値の比率が前記基準値の比率と同じである」との条件を満たすときに、前記液状物質は、海水が希釈されたものであると判定する
ことを特徴とする液状物質の簡易判定方法。
【請求項１３】
請求項９から請求項１２の何れか一項に記載された液状物質の簡易判定方法であって、
「前記イオン濃度の計算値が、前記イオン濃度の基準範囲内である」と「前記イオン濃度の計測値の少なくとも１つが前記イオン濃度の計算値の基準範囲下限値以上である」との条件を満たさないが、「前記イオン濃度の計測値がイオン濃度の計算値の基準範囲外である」と「前記導電率の計測値が１０００μＳ／ｃｍ以下である」との条件を満たすときに、前記液状物質は淡水であると判定する
ことを特徴とする液状物質の簡易判定方法。
【請求項１４】
請求項９から請求項１３の何れか一項に記載された液状物質の簡易判定方法であって、
前記イオン濃度は、ナトリウムイオン濃度と塩素イオン濃度とカルシウムイオン濃度である
ことを特徴とする液状物質の簡易判定方法。
【請求項１５】
請求項９から請求項１４の何れか一項に記載された液状物質の簡易判定方法であって、
前記イオン濃度の計算値は、前記液状物質の導電率の計測値と前記海水の導電率の基準値の比と、前記イオン濃度の計測値に基づき算出される値である
ことを特徴とする液状物質の簡易判定方法。
【請求項１６】
請求項９から請求項１５の何れか一項に記載された液状物質の簡易判定方法であって、
前記基準範囲は、前記基準値または前記計算値の±１０％の範囲である
ことを特徴とする液状物質の簡易判定方法。
【発明の詳細な説明】
【技術分野】
【０００１】
本発明は、液状物質の簡易判定装置および簡易判定方法に関する。
【背景技術】
【０００２】
海岸近傍に設置されたプラント（例えば、原子力発電所、火力発電所、海水淡水化処理設備など）や船舶などにおいて、本来は入り込むべきではない場所に液状物質が入り込むことがある。例えば、液化天然ガス（ＬＮＧ）船においては、タンク内の液体（例えば、−１６２℃）を外殻である鋼板まで伝わらないように断熱する防熱層に液状物質が入り込んでしまうことがある。前記液状物質が海水であれば、海水に含まれている塩素（Ｃｌ）による腐食作用が懸念されるため、混入箇所の特定や海水成分の除去に対して高い緊急性が発生する。前記船舶が航行していた場合には、前記液状物質の即座なる除去や漏えい（侵入）防止のための応急処置が必要と判断される。前記船舶がドックに入っていた場合には、前記液状物質の塩分除去や侵入口となった部位の補修が必要となる。
【０００３】
一方、前記液状物質が海水以外（例えば雨水や生活用水など）であると推察されると、侵入した量や場所にもよるが、液状物質の腐食作用が海水ほど高くなく、前記液状物質の除去に高い緊急性を要しないことから、前記船舶がドックに入ったときに前記液状物質の除去や侵入口となった部位の補修を行うことになる。
【先行技術文献】
【特許文献】
【０００４】
【特許文献１】特開２００４−２０５４７９号公報
【非特許文献】
【０００５】
【非特許文献１】Millero.F.J., Chemical Oceanography, 2nd ed., CRC Press, 1996, p.64
【発明の概要】
【発明が解決しようとする課題】
【０００６】
しかしながら、前記液状物質を分析する機器が船舶には無いことから、前記液状物質を採取し検査機関にて分析して、前記液状物質が海水であるか否かを判定していた。そのため、前記液状物質が海水由来であるか否かを迅速に判定することができなかった。
【０００７】
また、前記海水に含まれる元素が複数あり、元素によって分析手法が異なることから、分析作業に多大な時間（例えば、最低３日）や多量の液体（例えば、５００ｍｌ）を要するうえに、熟練した技術者による分析作業を要していた。例えば、ナトリウム（Ｎａ）やカルシウム（Ｃａ）やマグネシウム（Ｍｇ）やカリウム（Ｋ）やストロンチウム（Ｓｒ）の分析には、原子吸光法やＩＣＰ法などが用いられていた。塩素（Ｃｌ）や硫酸イオン（ＳＯ42-）や臭素（Ｂｒ）の分析には、イオンクロマト法などが用いられていた。炭酸水素イオン（ＨＣＯ3-）や炭酸（ＣＯ3）の分析には、ＴＯＣ分析法などが用いられていた。フッ素（Ｆ）の分析には、蒸留−比色法などが用いられていた。Ｂ（ホウ素）などの分析には、原子吸光法などが用いられていた。
【０００８】
このようなことから、本発明は、前述した課題を解決するために為されたものであって、海水由来か否かを簡便、且つ迅速に判定することができる液状物質の簡易判定装置および簡易判定方法を提供することを目的としている。
【課題を解決するための手段】
【０００９】
上述した課題を解決する第一番目の発明に係る液状物質の簡易判定装置は、
液状物質が海水由来か否かを判定する液状物質の簡易判定装置であって、
海水の基準値を設定する海水基準値設定手段と、
前記液状物質のｐＨを計測するｐＨ計測手段と、
前記液状物質の導電率を計測する導電率計測手段と、
前記液状物質のイオン濃度を計測するイオン濃度計測手段と、
前記導電率計測手段で得られた前記液状物質の導電率の計測値および前記海水の導電率の基準値と、前記海水のイオン濃度の基準値に基づき、前記イオン濃度の計算値を演算するイオン濃度演算手段と、
前記基準値および前記イオン濃度の計算値に基づきこれらの基準範囲を演算する基準範囲演算手段と、
前記イオン濃度の計算値と前記イオン濃度の計算値の基準範囲と前記イオン濃度計測手段で得られた計測値に基づき前記液状物質が海水であるか否かを判定する判定手段とを具備する
ことを特徴とする。
【００１０】
上述した課題を解決する第二番目の発明に係る液状物質の簡易判定装置は、前述した第一番目の発明に係る液状物質の簡易判定装置であって、
前記判定手段は、「前記イオン濃度の計算値が、前記イオン濃度の基準範囲内である」、「前記イオン濃度の計測値の全てが、前記イオン濃度の計算値の基準範囲内である」、「前記ｐＨの計測値が基準範囲内である」の全ての条件を満たしたときに、前記液状物質が海水であると判定する
ことを特徴とする。
【００１１】
上述した課題を解決する第三番目の発明に係る液状物質の簡易判定装置は、前述した第一番目または第二番目の発明に係る液状物質の簡易判定装置であって、
前記判定手段は、「前記イオン濃度の計算値が、前記イオン濃度の基準範囲内である」と「前記イオン濃度の計測値の少なくとも１つが前記イオン濃度の計算値の基準範囲内である」との条件を満たすが、「前記イオン濃度の計測値の全てが、前記イオン濃度の計算値の基準範囲内である」と「前記ｐＨの計測値が基準範囲内である」の条件を満たさないときに、前記液状物質は、海水に何かが混入したものであると判定する
ことを特徴とする。
【００１２】
上述した課題を解決する第四番目の発明に係る液状物質の簡易判定装置は、前述した第一番目から第三番目の何れか一つ発明に係る液状物質の簡易判定装置であって、
前記イオン濃度の比率を演算するイオン濃度比率演算部をさらに具備し、
前記判定手段は、「前記イオン濃度の計算値が、前記イオン濃度の基準範囲内である」の条件を満たさないが、「前記イオン濃度の計測値が前記イオン濃度の計算値の基準範囲外である」と「前記イオン濃度の計測値の少なくとも１つが前記イオン濃度の計算値の基準範囲下限値以上である」と「前記ｐＨの計測値が前記基準範囲外である」と「前記導電率の計測値が基準値よりも小さい、且つ、前記イオン濃度の計測値の比率が前記基準値の比率と同じである」との条件を満たすときに、前記液状物質は、海水が希釈されたものであると判定する
ことを特徴とする。
【００１３】
上述した課題を解決する第五番目の発明に係る液状物質の簡易判定装置は、前述した第一番目から第四番目の何れか一つの発明に係る液状物質の簡易判定装置であって、
前記判定手段は、「前記イオン濃度の計算値が、前記イオン濃度の基準範囲内である」と「前記イオン濃度の計測値の少なくとも１つが前記イオン濃度の計算値の基準範囲下限値以上である」との条件を満たさないが、「前記イオン濃度の計測値がイオン濃度の計算値の基準範囲外である」と「前記導電率の計測値が１０００μＳ／ｃｍ以下である」との条件を満たすときに、前記液状物質は淡水であると判定する
ことを特徴とする。
【００１４】
上述した課題を解決する第六番目の発明に係る液状物質の簡易判定装置は、前述した第一番目から第五番目の何れか一つの発明に係る液状物質の簡易判定装置であって、
前記イオン濃度は、ナトリウムイオン濃度と塩素イオン濃度とカルシウムイオン濃度である
ことを特徴とする。
【００１５】
上述した課題を解決する第七番目の発明に係る液状物質の簡易判定装置は、前述した第一番目から第六番目の何れか一つの発明に係る液状物質の簡易判定装置であって、
前記イオン濃度の計算値は、前記液状物質の導電率の計測値と前記海水の導電率の基準値の比と、前記イオン濃度の計測値に基づき算出される
ことを特徴とする。
【００１６】
上述した課題を解決する第八番目の発明に係る液状物質の簡易判定装置は、前述した第一番目から第七番目の何れか一つの発明に係る液状物質の簡易判定装置であって、
前記基準範囲は、前記基準値または前記計算値の±１０％の範囲である
ことを特徴とする。
【００１７】
上述した課題を解決する第九番目の発明に係る液状物質の簡易判定方法は、
液状物質が海水由来か否かを判定する液状物質の簡易判定方法であって、
前記液状物質のｐＨおよび導電率およびイオン濃度を計測し、
前記液状物質の導電率の計測値および前記海水の導電率の基準値と、前記海水のイオン濃度の基準値に基づき、前記イオン濃度の計算値を演算し、
前記基準値および前記イオン濃度の計算値に基づき、これらの基準範囲を演算し、
前記イオン濃度の計算値と前記イオン濃度の計算値の基準範囲と前記イオン濃度の計測値に基づき、前記液状物質が海水であるか否かを判定する
ことを特徴とする。
【００１８】
上述した課題を解決する第十番目の発明に係る液状物質の簡易判定方法は、前述した第九番目の発明に係る液状物質の簡易判定方法であって、
「前記イオン濃度の計算値が、前記イオン濃度の基準範囲内である」、「前記イオン濃度の計測値の全てが、前記イオン濃度の計算値の基準範囲内である」、「前記ｐＨの計測値が基準範囲内である」の全ての条件を満たしたときに、前記液状物質が海水であると判定する
ことを特徴とする。
【００１９】
上述した課題を解決する第十一番目の発明に係る液状物質の簡易判定方法は、前述した第九番目または第十番目の発明に係る液状物質の簡易判定方法であって、
「前記イオン濃度の計算値が、前記イオン濃度の基準範囲内である」と「前記イオン濃度の計測値の少なくとも１つが前記イオン濃度の計算値の基準範囲内である」との条件を満たすが、「前記イオン濃度の計測値の全てが、前記イオン濃度の計算値の基準範囲内である」と「前記ｐＨの計測値が基準範囲内である」の条件を満たさないときに、前記液状物質は、海水に何かが混入したものであると判定する
ことを特徴とする。
【００２０】
上述した課題を解決する第十二番目の発明に係る液状物質の簡易判定方法は、前述した第九番目から第十一番目の何れか一つの発明に係る液状物質の簡易判定方法であって、
前記イオン濃度の基準値に基づきイオン濃度の基準値の比率を演算すると共に、前記イオン濃度の計測値に基づきイオン濃度の計測値の比率を演算し、
「前記イオン濃度の計算値が、前記イオン濃度の基準範囲内である」の条件を満たさないが、「前記イオン濃度の計測値が前記イオン濃度の計算値の基準範囲外である」と「前記イオン濃度の計測値の少なくとも１つが前記イオン濃度の計算値の基準範囲下限値以上である」と「前記ｐＨの計測値が前記基準範囲外である」と「前記導電率の計測値が基準値よりも小さい、且つ、前記イオン濃度の計測値の比率が前記基準値の比率と同じである」との条件を満たすときに、前記液状物質は、海水が希釈されたものであると判定する
ことを特徴とする。
【００２１】
上述した課題を解決する第十三番目の発明に係る液状物質の簡易判定方法は、前述した第九番目から第十二番目の何れか一つの発明に係る液状物質の簡易判定方法であって、
「前記イオン濃度の計算値が、前記イオン濃度の基準範囲内である」と「前記イオン濃度の計測値の少なくとも１つが前記イオン濃度の計算値の基準範囲下限値以上である」との条件を満たさないが、「前記イオン濃度の計測値がイオン濃度の計算値の基準範囲外である」と「前記導電率の計測値が１０００μＳ／ｃｍ以下である」との条件を満たすときに、前記液状物質は淡水であると判定する
ことを特徴とする。
【００２２】
上述した課題を解決する第十四番目の発明に係る液状物質の簡易判定方法は、前述した第九番目から第十三番目の何れか一つの発明に係る液状物質の簡易判定方法であって、
前記イオン濃度は、ナトリウムイオン濃度と塩素イオン濃度とカルシウムイオン濃度である
ことを特徴とする。
【００２３】
上述した課題を解決する第十五番目の発明に係る液状物質の簡易判定方法は、前述した第九番目から第十四番目の何れか一つの発明に係る液状物質の簡易判定方法であって、
前記イオン濃度の計算値は、前記液状物質の導電率の計測値と前記海水の導電率の基準値の比と、前記イオン濃度の計測値に基づき算出される値である
ことを特徴とする。
【００２４】
上述した課題を解決する第十六番目の発明に係る液状物質の簡易判定方法は、前述した第九番目から第十五番目の何れか一つの発明に係る液状物質の簡易判定方法であって、
前記基準範囲は、前記基準値または前記計算値の±１０％の範囲である
ことを特徴とする。
【発明の効果】
【００２５】
本発明によれば、液状物質を採取し、採取した液状物質の導電率、ｐＨ、イオン濃度を計測し、これら計測値、海水の基準値などから前記液状物質が海水であるか否かを判定することができる。これら分析および判定の作業が簡便であり、これら作業を迅速に（例えば、数分で）行うことができる。
【図面の簡単な説明】
【００２６】
【図１】本発明に係る液状物質の簡易判定装置の一実施形態のブロック図である。
【図２】本発明に係る液状物質の簡易判定装置の一実施形態によるフロー図である。
【図３】本発明に係る液状物質の簡易判定装置の一実施形態によるフロー図である。
【図４】本発明に係る液状物質の簡易判定装置の一実施形態によるフロー図である。
【発明を実施するための形態】
【００２７】
本発明に係る液状物質の簡易判定装置および簡易判定方法の一実施形態を図面に基づいて説明するが、本発明は、図面に基づいて説明する以下の実施形態のみに限定されるものではない。
【００２８】
本発明に係る液状物質の簡易判定装置および簡易判定方法の一実施形態を図１に基づいて説明する。
【００２９】
本実施形態に係る液状物質の簡易判定装置は、図１に示すように、導電率計１１、ｐＨ計１２、イオンメータ１３と、コンピュータ２０とを備える。コンピュータ２０は、記憶部２１、海水の基準値設定部２２、基準範囲演算部２３、イオン濃度演算部２４、イオン濃度比率演算部２５、判定部２６、判定結果表示部２７などを備える。
【００３０】
前記導電率計１１は、従来から用いられ、液状物質の導電率を計測する機器であって、プローブ１１ａを備える。前記ｐＨ計１２は、従来から用いられ、液状物質のｐＨを計測する機器であって、プローブ１２ａを備える。前記イオンメータ１３は、従来から用いられ、液状物質のイオン濃度を計測する機器であって、プローブ１３ａを備える。これら機器１１〜１３により、採取された、例えば１０〜１００ｍｌ程度の液状物質にて、導電率、ｐＨ、イオン濃度（例えば、Ｎａ+，Ｃｌ-，Ｃａ2+濃度）を測定することができる。これら機器１１〜１３の出力側は、前記コンピュータ２０の前記記憶部２１の入力側と接続している。
【００３１】
前記海水の基準値設定部２２は、例えば、非特許文献１に基づき、海水のｐＨ、海水の導電率、海水のナトリウムイオン（Ｎａ+）濃度、塩素イオン（Ｃｌ-）濃度、カルシウムイオン（Ｃａ2+）濃度などの基準値を設定する機器である。前記海水の基準値設定部２２の出力側は、前記記憶部２１の入力側と接続している。
【００３２】
前記基準範囲演算部２３の入出力側は、前記記憶部２１の出入力側と接続している。前記基準範囲演算部２３は、前記海水の基準値設定部２２により設定されたｐＨ，導電率，イオン（例えば、Ｎａ+，Ｃｌ-，Ｃａ2+）濃度の基準値、詳細につき後述するイオン濃度演算部２４により演算されたイオン（例えば、Ｎａ+，Ｃｌ-，Ｃａ2+）濃度の計算値に基づき、詳細につき後述する判定部２６で判定値として用いる基準範囲を演算し、演算結果（前記基準範囲）を前記記憶部２１に出力する機器である。前記基準範囲は、例えば、基準値／計算値の±１０％の範囲であることが好ましい。
【００３３】
前記イオン濃度演算部２４の入出力側は、前記記憶部２１の出入力側と接続している。前記イオン濃度演算部２４は、液状物質１の導電率の実測値（計測値）および海水の導電率の基準値と、Ｎａ+濃度またはＣｌ-濃度またはＣａ2+濃度の基準値に基づき、詳細につき後述する判定部２６で判定値として用いる各イオン（Ｎａ+，Ｃｌ-，Ｃａ2+）濃度の計算値を演算し、演算結果（各イオン濃度の計算値）を前記記憶部２１に出力する機器である。
【００３４】
前記イオン濃度比率演算部２５の入出力側は、前記記憶部２１の出入力側と接続している。前記イオン濃度比率演算部２５は、詳細につき後述する判定部２６で判定値として用いるイオン濃度の比率を演算し、演算結果（前記イオン濃度の比率）を前記記憶部２１に出力する機器である。前記イオン濃度比率演算部２５は、例えば、前記海水の基準値設定部２２により設定された海水のイオン（例えば、Ｎａ+，Ｃｌ-，Ｃａ2+）濃度の基準値に基づきこれらのイオン（例えば、Ｎａ+，Ｃｌ-，Ｃａ2+）濃度の比率を演算する。また、前記イオン濃度比率演算部２５は、前記イオンメータ１３により計測された液状物質のイオン（例えば、Ｎａ+，Ｃｌ-，Ｃａ2+）濃度に基づき液状物質のイオン濃度の比率を演算する。
【００３５】
前記判定部２６の入出力側は、前記記憶部２１の出入力側と接続している。前記判定部２６は、海水の基準値［導電率、イオン（例えば、Ｎａ+，Ｃｌ-，Ｃａ2+）濃度、ｐＨ］と実測値［導電率、イオン（例えば、Ｎａ+，Ｃｌ-，Ｃａ2+）濃度、ｐＨ］と前記判定値（判定基準）に基づき、液状物質が海水（海水由来）であるか否かを判定し、判定結果を前記記憶部２１に出力する機器である。前記判定部２６は、例えば、前記海水の基準値［導電率、イオン（例えば、Ｎａ+，Ｃｌ-，Ｃａ2+）濃度、ｐＨ］と前記実測値［導電率、イオン（例えば、Ｎａ+，Ｃｌ-，Ｃａ2+）濃度、ｐＨ］と前記判定値に基づき、「前記液状物質は海水（海水由来）である」、「前記液状物質は海水に何かが混入したものである（海水由来である）」、「前記液状物質は海水が希釈されたものである（海水由来である）」、「前記液状物質は淡水である（海水由来では無い）」、「詳細に分析する必要がある（由来を特定できない）」の何れかであると判定する。
【００３６】
前記判定部２６は、例えば、「イオン（例えば、Ｎａ+，Ｃｌ-，Ｃａ2+）濃度の計算値が、イオン濃度の基準範囲内（例えば、基準値の±１０％以内）である」、「イオン（例えば、Ｎａ+，Ｃｌ-，Ｃａ2+）濃度の実測値（計測値）の全てが、イオン濃度の計算値の基準範囲内（例えば、計算値の±１０％以内）である」、「ｐＨの実測値（計測値）が基準範囲内（例えば、基準値の±１０％以内）である」の全ての条件を満たしたときに、「前記液状物質は海水である」と判定する。
【００３７】
前記判定部２６は、例えば、「イオン（例えば、Ｎａ+，Ｃｌ-，Ｃａ2+）濃度の計算値が、イオン濃度の基準範囲内（例えば、基準値の±１０％以内）である」と「イオン（例えば、Ｎａ+，Ｃｌ-，Ｃａ2+）濃度の実測値（計測値）の少なくとも１つがイオン濃度の計算値の基準範囲内（例えば、計算値の±１０％以内）である」との条件を満たすが、「イオン（例えば、Ｎａ+，Ｃｌ-，Ｃａ2+）濃度の実測値（計測値）の全てが、イオン濃度の計算値の基準範囲内（例えば、基準値の±１０％以内）である」と「ｐＨの実測値（計測値）が基準範囲内（例えば、基準値の±１０％以内）である」の条件を満たさないときに、「前記液状物質は海水に何かが混入したものである」と判定する。
【００３８】
前記判定部２６は、例えば、「イオン（例えば、Ｎａ+，Ｃｌ-，Ｃａ2+）濃度の計算値が、イオン濃度の基準範囲内（例えば、計算値の±１０％以内）である」の条件を満たさないが、「イオン（例えば、Ｎａ+，Ｃｌ-，Ｃａ2+）濃度の実測値（計測値）がイオン濃度の計算値の基準範囲外（例えば、計算値の±１０％の外側の範囲）である」と「イオン（例えば、Ｎａ+，Ｃｌ-，Ｃａ2+）濃度の実測値（計測値）の少なくとも１つがイオン濃度の計算値の基準範囲下限値以上である」と「ｐＨの実測値（計測値）が基準範囲外（例えば、基準値の±１０％の外側の範囲）である」と「導電率の実測値（計測値）が基準値よりも小さい、且つ、イオン（例えば、Ｎａ+，Ｃｌ-，Ｃａ2+）濃度の実測値（計測値）の比率が基準値の比率と同じである」との条件を満たすときに、「前記液状物質は海水が希釈されたものである」と判定する。
【００３９】
前記判定部２６は、例えば、「イオン（例えば、Ｎａ+，Ｃｌ-，Ｃａ2+）濃度の計算値が、イオン濃度の基準範囲内（例えば、計算値の±１０％以内）である」と「イオン（例えば、Ｎａ+，Ｃｌ-，Ｃａ2+）濃度の実測値（計測値）の少なくとも１つが基準範囲下限値以上である」との条件を満たさないが、「イオン（例えば、Ｎａ+，Ｃｌ-，Ｃａ2+）濃度の実測値（計測値）がイオン濃度の計算値の基準範囲外（例えば、計算値の±１０％の外側の範囲）である」と「導電率の実測値（計測値）が１０００μＳ／ｃｍ以下である」との条件を満たすときに、「前記液状物質は淡水である」と判定する。
【００４０】
前記判定部２６は、例えば、「前記液状物質は海水である」、「前記液状物質は海水に何かが混入したものである」、「前記液状物質は海水が希釈されたものである」、「前記液状物質は淡水である」の何れにも該当しない場合には、「詳細に分析する必要がある」と判定する。
【００４１】
前記判定結果表示部２７の入出力側は、前記記憶部２１の出入力側と接続している。前記判定結果表示部２７は、前記記憶部２１に入力された前記判定部２６による前記判定結果を表示する機器である。
【００４２】
前記記憶部２１は、前記導電率計１１、前記ｐＨ計１２、前記イオンメータ１３、前記海水の基準値設定部２２、前記基準範囲演算部２３、前記イオン濃度演算部２４、前記イオン濃度比率演算部２５、前記判定部２６などから入力されたデータを記憶する機器である。
【００４３】
このような構成の液状物質の簡易判定装置による液状物質の判定方法について、図１および図２を参照して以下に説明する。なお、前記海水の基準値設定部２２にて、例えば、海水の基準値［ｐＨ、導電率、イオン（例えば、Ｎａ+，Ｃｌ-，Ｃａ2+）濃度］が設定され、当該海水の基準値は、前記コンピュータ２０の前記記憶部２１に記憶される。また、前記イオン濃度比率演算部２５にて、前記イオン（例えば、Ｎａ+，Ｃｌ-，Ｃａ2+）濃度の基準値に基づき当該イオン濃度の比率が演算され、当該イオン濃度の比率は、前記コンピュータ２０の前記記憶部２１に記憶される。
【００４４】
液状物質１を採取し（試料採取工程（第一の工程）Ｓ１）、容器２に入れる。
【００４５】
続いて、計測器により容器２内の液状物質１の導電率およびイオン濃度およびｐＨを計測する。すなわち、導電率計１１のプローブ１１ａを容器２内の液状物質１に入れ、液状物質１の導電率を計測する（導電率計測工程（第二の工程）Ｓ２−１）。イオンメータ１３のプローブ１３ａを容器２内の液状物質１に入れ、液状物質１のイオン（例えば、Ｎａ+，Ｃｌ-，Ｃａ2+）濃度を計測する（イオン濃度計測工程（第二の工程）Ｓ２−２）。ｐＨ計１２のプローブ１２ａを容器２内の液状物質１に入れ、液状物質１のｐＨを計測する（ｐＨ計測工程（第二の工程）Ｓ２−３）。各計測器１１，１２，１３で得られた実測値（液状物質１の導電率、液状物質１のｐＨ、液状物質１のイオン（例えば、Ｎａ+，Ｃｌ-，Ｃａ2+）濃度）は、記憶部２１に入力される。すなわち、前記工程Ｓ２−１〜Ｓ２−３は、試料の分析工程に相当する。
【００４６】
続いて、前記基準範囲演算部２３が判定値［例えば、海水における導電率およびｐＨおよびイオン（例えば、Ｎａ+，Ｃｌ-，Ｃａ2+）濃度の基準範囲、イオン（例えば、Ｎａ+，Ｃｌ-，Ｃａ2+）濃度の計算値、前記イオン濃度の計算値の基準範囲、海水のイオン（例えば、Ｎａ+，Ｃｌ-，Ｃａ2+）濃度の基準値の比率、イオン（例えば、Ｎａ+，Ｃｌ-，Ｃａ2+）濃度の実測値の比率など］を演算し、前記演算結果を記憶部２１に入力する（判定値の算出工程（第３の工程）Ｓ３）。
【００４７】
具体的には、前記判定値の算出工程Ｓ３において、前記基準範囲設定部２３は、前記記憶部２１に記憶された海水のｐＨの基準値を読み込み、当該ｐＨの基準値に基づき、前記判定値の１つであるｐＨの基準範囲（例えば、前記ｐＨの基準値の±１０％以内）を算出し、前記記憶部２１に出力する。
【００４８】
前記判定値の算出工程Ｓ３において、前記基準範囲設定部２３は、前記記憶部２１に記憶された海水の導電率の基準値を読み込み、当該導電率の基準値に基づき、前記判定値の１つである導電率の基準範囲（例えば、前記導電率の基準値の±１０％以内）を算出し、前記記憶部２１に出力する。
【００４９】
前記判定値の算出工程Ｓ３において、前記基準範囲設定部２３は、前記記憶部２１に記憶された海水のイオン（例えば、Ｎａ+，Ｃｌ-，Ｃａ2+）濃度の基準値を読み込み、当該海水のイオン濃度の基準値に基づき、前記判定値の１つであるイオン濃度の基準範囲（例えば、前記イオン濃度の基準値の±１０％以内）を算出し、前記記憶部２１に出力する。
【００５０】
前記判定値の算出工程Ｓ３において、前記基準範囲設定部２３は、前記記憶部２１に記憶された、詳細につき後述するイオン（例えば、Ｎａ+，Ｃｌ-，Ｃａ2+）濃度の計算値を読み込み、当該イオン濃度の計算値に基づき、前記判定値の１つであるイオン濃度の計算値の基準範囲（例えば、前記イオン濃度の計算値の±１０％以内）を算出し、前記記憶部２１に出力する。
【００５１】
前記判定値の算出工程Ｓ３において、前記イオン濃度演算部２４は、前記液状物質１が海水であると仮定して、前記記憶部２１に記憶された前記導電率の基準値と前記導電率の実測値と前記イオン（例えば、Ｎａ+，Ｃｌ-，Ｃａ2+）濃度の基準値に基づき、すなわち、前記導電率の基準値と前記導電率の実測値の比に基づき前記イオン濃度の基準値からイオン濃度の計算値を算出し、前記記憶部２１に出力する。
【００５２】
さらに、前記判定値の算出工程Ｓ３においては、前記イオン濃度比率演算部２５は、前記記憶部２１に記憶された海水のイオン濃度の基準値に基づき、イオン濃度の基準値の比率を算出し、前記記憶部２１に出力する。前記イオン濃度比率演算部２５は、前記記憶部２１に記憶されたイオン濃度の実測値に基づき、イオン濃度の実測値の比率を算出し、前記記憶部２１に出力する。
【００５３】
続いて、前記判定部２６は、前記海水の基準値（導電率、イオン濃度、ｐＨ）と前記実測値（導電率、イオン濃度、ｐＨ）と前記判定値（導電率およびイオン濃度およびｐＨの基準範囲、イオン濃度の計算値、イオン濃度の計算値の基準範囲、イオン濃度の基準値の比率、イオン濃度の実測値の比率）に基づき、液状物質が海水（海水由来）であるか否かを判定し、判定結果を前記記憶部２１に出力し、当該記憶部２１は、前記判定結果を前記判定結果表示部２７に出力する（判定工程（第４の工程）Ｓ４）。これにより、作業者は、前記判定結果表示部２７を見るだけで、前記判定結果（前記液状物質１が海水（海水由来）であるか否か）を確認することができる。
【００５４】
上述した判定工程Ｓ４について、図３および図４を参照して具体的に以下に説明する。
【００５５】
まず、前記判定部２６は、前記イオン濃度の計算値が、前記イオン濃度の基準範囲内であるかを判定し、前記イオン濃度の計算値が前記条件を満たす（前記イオン濃度の基準範囲内である）場合、工程Ｓ４−２に進み、前記イオン濃度の計算値が前記条件を満たさない（前記イオン濃度の基準範囲外である）場合には、工程Ｓ４−６に進む。
【００５６】
続いて、前記工程Ｓ４−２にて、前記判定部２６は、前記イオン濃度の実測値の全てが前記イオン濃度の計算値の基準範囲内であるかを判定し、前記イオン濃度の実測値の全てが前記条件を満たす（前記イオン濃度の計算値の基準範囲内である）場合、工程Ｓ４−３に進み、前記イオン濃度の実測値の少なくとも１つが前記条件を満たさない（前記イオン濃度の計算値の基準範囲外である）場合には、工程Ｓ４−４に進む。
【００５７】
続いて、前記工程Ｓ４−３にて、前記判定部２６は、前記ｐＨの実測値が前記ｐＨの基準範囲内であるかを判定し、前記ｐＨの実測値が前記条件を満たす（前記ｐＨの基準範囲内である）場合、工程Ｓ４−１１に進み、前記ｐＨの実測値が前記条件を満たさない（前記ｐＨの基準範囲外である）場合には、工程Ｓ４−１５に進む。
【００５８】
上述した工程Ｓ４−４においては、前記判定部２６は、前記イオン濃度の実測値の少なくとも１つが前記イオン濃度の計算値の基準範囲内であるかを判定し、前記イオン濃度の実測値の少なくとも１つが前記条件を満たす（前記イオン濃度の計算値の基準範囲内である）場合、工程Ｓ４−５に進み、前記イオン濃度の実測値が１つも前記条件を満たさない（前記イオン濃度の計算値の基準範囲外である）場合には、工程Ｓ４−１５に進む。
【００５９】
続いて、前記工程Ｓ４−５にて、前記判定部２６は、前記ｐＨの実測値が前記ｐＨの基準範囲内であるかを判定し、前記ｐＨの実測値が前記条件を満たす（前記ｐＨの基準範囲内である）場合、工程Ｓ４−１５に進み、前記ｐＨの実測値が前記条件を満たさない（前記ｐＨの基準範囲外である）場合には、工程Ｓ４−１２に進む。
【００６０】
また、上述した工程Ｓ４−６においては、前記判定部２６は、前記イオン濃度の実測値の全てが前記イオン濃度の計算値の基準範囲外であるかを判定し、前記イオン濃度の実測値の全てが前記条件を満たす（前記イオン濃度の計算値の基準範囲外である）場合、工程Ｓ４−７に進み、前記イオン濃度の実測値の少なくとも１つが前記条件を満たさない（前記イオン濃度の計算値の基準範囲内である）場合には、工程Ｓ４−１５に進む。
【００６１】
続いて、前記工程Ｓ４−７にて、前記判定部２６は、前記イオン濃度の実測値の少なくとも１つが前記イオン濃度の計算値の基準範囲下限値以上であるかを判定し、前記イオン濃度の実測値の少なくとも１つが前記条件を満たす（前記イオン濃度の計算値の基準範囲下限値以上である）場合、工程Ｓ４−８に進み、前記イオン濃度の実測値の少なくとも１つが前記条件を満たさない（前記イオン濃度の計算値の基準範囲下限値より小さい）場合には、工程Ｓ４−１０に進む。
【００６２】
続いて、前記工程Ｓ４−８にて、前記判定部２６は、前記ｐＨの実測値が前記ｐＨの基準範囲外であるかを判定し、前記ｐＨの実測値が前記条件を満たす（前記ｐＨの基準範囲外である）場合、工程Ｓ４−９に進み、前記ｐＨの実測値が前記条件を満たさない（前記ｐＨの基準範囲内である）場合には、工程Ｓ４−１５に進む。
【００６３】
続いて、前記工程Ｓ４−９にて、前記判定部２６は、前記導電率の実測値が、前記導電率の基準値よりも小さい、且つ、前記イオン濃度の実測値の比率が前記イオン濃度の基準値の比率と同じであるかを判定し、前記導電率の実測値が前記条件を満たし（前記導電率の基準値よりも小さく）、且つ前記イオン濃度の実測率の比率が前記条件を満たす（前記イオン濃度の基準値の比率と同じである）場合、工程Ｓ４−１３に進み、前記導電率の実測値が前記条件を満たさない（前記導電率の基準値以上である）、または前記イオン濃度の実測率の比率が前記条件を満たさない（前記イオン濃度の基準値の比率と異なる）場合には、工程Ｓ４−１５に進む。
【００６４】
上述した工程Ｓ４−１０においては、前記判定部２６は、前記導電率の実測値が１０００μＳ／ｃｍ以下であるかを判定し、前記導電率の実測値が前記条件を満たす（１０００μＳ／ｃｍ以下である）場合、工程Ｓ４−１４に進み、前記導電率の実測値が前記条件を満たさない（１０００μＳ／ｃｍよりも大きい）場合には、工程Ｓ４−１５に進む。
【００６５】
前記工程Ｓ４−１１にて、前記判定部２６は、前記液状物質１は海水であると判定し、この判定結果を前記記憶部２１に出力し、前記判定結果表示部２７は、前記判定結果を表示する。
【００６６】
前記工程Ｓ４−１２にて、前記判定部２６は、前記液状物質１は海水に何かが混入したものであると判定し、この判定結果を前記記憶部２１に出力し、前記判定結果表示部２７は、前記判定結果を表示する。
【００６７】
前記工程Ｓ４−１３にて、前記判定部２６は、前記液状物質１は海水が希釈されたものであると判定し、この判定結果を前記記憶部２１に出力し、前記判定結果表示部２７は、前記判定結果を表示する。
【００６８】
前記工程Ｓ４−１４にて、前記判定部２６は、前記液状物質１は淡水であると判定し、この判定結果を前記記憶部２１に出力し、前記判定結果表示部２７は、前記判定結果を表示する。
【００６９】
前記工程Ｓ４−１５にて、前記判定部２６は、前記液状物質１を詳細に分析する必要があると判定し、この判定結果を前記記憶部２１に出力し、前記判定結果表示部２７は、前記判定結果を表示する。
【００７０】
したがって、上述した本実施形態によれば、海水の基準値（例えば、導電率、ｐＨ、イオン（例えば、Ｎａ+，Ｃｌ-，Ｃａ2+）濃度）を設定する一方、液状物質１を採取し、導電率計１１、ｐＨ計１２、イオンメータ１３により液状物質１の導電率、ｐＨ、イオン（例えば、Ｎａ+，Ｃｌ-，Ｃａ2+）濃度を実測し、前記海水の基準値と前記液状物質１の導電率およびｐＨおよびイオン濃度の実測値とに基づき判定値を算出し、前記判定値と前記実測値と前記海水の基準値などを用いて、「前記イオン濃度の計算値が、前記イオン濃度の基準範囲内である」、「前記イオン濃度の実測値の全てが、前記イオン濃度の計算値の基準範囲内である」、「前記ｐＨの実測値が前記基準範囲内である」との条件を満たしたときに、前記液状物質１が海水であると判定することができる。これら分析および判定の作業が簡便であり、これら作業を迅速に（例えば、数分程度で）行うことができる。
【００７１】
［他の実施形態］
なお、上記では、Ｎａ+濃度およびＣｌ-濃度およびＣａ2+濃度の３種類をイオン濃度として用いた場合について説明したが、Ｎａ+濃度およびＣｌ-濃度およびＣａ2+濃度の他に、マグネシウムイオン（Ｍｇ2+）濃度と硫酸イオン（ＳＯ42-）濃度を含めた５種類をイオン濃度として用いることも可能である。
【実施例】
【００７２】
本発明に係る液状物質の簡易判定装置および簡易判定方法の作用効果を確認するために行った実施例を以下に説明するが、本発明は、各種データに基づいて説明する以下の実施例のみに限定されるものではない。
【００７３】
［確認試験］
本試験において、４種類の液状物質を採取し、それぞれ試験体１，２，３，４とした。試験体１〜４について、導電率計、ｐＨ計、イオンメータにより導電率、ｐＨ、イオン（Ｎａ+，Ｃｌ-，Ｃａ2+）濃度を実測した。その結果は、下記の表１の通りであった。
【００７４】
【表１】
2015161561.tif 000003
【００７５】
海水の基準値を、上記非特許文献１に基づき、下記の表２の通りに設定した。海水の基準範囲を前記海水の基準値の±１０％以内とした。
【００７６】
【表２】
2015161561.tif 000004
【００７７】
試験体１について、海水の導電率の基準値と液状物質の導電率の実測値の比と、海水のイオン濃度の基準値に基づき、イオン濃度の計算値を算出した。すなわち、下記の（１）式に基づき、イオン（Ｎａ+，Ｃｌ-，Ｃａ2+）濃度の計算値を算出した。その結果は、下記の表３の通りであった。イオン濃度の計算値の基準範囲を前記イオン濃度の計算値の±１０％以内とした。
【００７８】
イオン濃度の計算値＝液状物質の導電率の実測値×海水のイオン濃度の基準値／海水の導電率の基準値  （１）
【００７９】
【表３】
2015161561.tif 000005
【００８０】
試験体２について、上述した試験体１と同様に、海水の導電率の基準値と導電率の実測値の比とイオン濃度の基準値に基づき、イオン濃度の計算値を算出した。すなわち、上記の（１）式に基づき、イオン（Ｎａ+，Ｃｌ-，Ｃａ2+）濃度の計算値を算出した。その結果は、下記の表４の通りであった。イオン濃度の計算値の基準範囲を前記イオン濃度の計算値の±１０％以内とした。
【００８１】
【表４】
2015161561.tif 000006
【００８２】
試験体３について、上述した試験体１と同様に、海水の導電率の基準値と導電率の実測値の比とイオン濃度の基準値に基づき、イオン濃度の計算値を算出した。すなわち、上記の（１）式に基づき、イオン（Ｎａ+，Ｃｌ-，Ｃａ2+）濃度の計算値を算出した。その結果は、下記の表５の通りであった。イオン濃度の計算値の基準範囲を前記イオン濃度の計算値の±１０％以内とした。
【００８３】
【表５】
2015161561.tif 000007
【００８４】
試験体４について、上述した試験体１と同様に、海水の導電率の基準値と導電率の実測値の比とイオン濃度の基準値に基づき、イオン濃度の計算値を算出した。すなわち、上記の（１）式に基づき、イオン（Ｎａ+，Ｃｌ-，Ｃａ2+）濃度の計算値を算出した。その結果は、下記の表６の通りであった。イオン濃度の計算値の基準範囲を前記イオン濃度の計算値の±１０％以内とした。
【００８５】
【表６】
2015161561.tif 000008
【００８６】
続いて、上述した試験体１について、図２に示す第４の工程Ｓ４、すなわち、図３および図４に示す判定工程（前記Ｓ４−１〜Ｓ４−１０）により判定した。試験体１は、「イオン（Ｎａ+，Ｃｌ-，Ｃａ2+）濃度の計算値が、イオン濃度の基準範囲内である」（工程Ｓ４−１）、「イオン（Ｎａ+，Ｃｌ-，Ｃａ2+）濃度の実測値の全てが、イオン濃度の計算値の基準範囲内である」（工程Ｓ４−２）、「ｐＨの実測値が基準範囲内である」（工程Ｓ４−３）の全ての条件を満たすことが確認された。よって、試験体１は海水であると判定された。
【００８７】
試験体２についても、試験体１と同様、図２に示す第４の工程Ｓ４、すなわち、図３および図４に示す判定工程（前記Ｓ４−１〜Ｓ４−１０）により判定した。試験体２は、「イオン（Ｎａ+，Ｃｌ-，Ｃａ2+）濃度の計算値が、イオン濃度の基準範囲内である」（工程Ｓ４−１）の条件を満たさないが、「イオン（Ｎａ+，Ｃｌ-，Ｃａ2+）濃度の実測値が、イオン濃度の計算値の基準範囲外である」（工程Ｓ４−６）と「イオン（Ｎａ+，Ｃｌ-，Ｃａ2+）濃度の実測値の少なくとも１つがイオン濃度の計算値の基準範囲下限値以上である」（工程Ｓ４−７）と「ｐＨの実測値が基準範囲外である」（工程Ｓ４−８）と「導電率の実測値が基準値よりも小さい、且つ、イオン濃度の実測値の比率が基準値の比率と同じである」（工程Ｓ４−９）との条件を満たすことが確認された。よって、試験体２は海水が希釈されたものであると判定された。
【００８８】
試験体３についても、試験体１と同様、図２に示す第４の工程Ｓ４、すなわち、図３および図４に示す判定工程（前記Ｓ４−１〜Ｓ４−１０）により判定した。試験体３は、「イオン（Ｎａ+，Ｃｌ-，Ｃａ2+）濃度の計算値が、イオン濃度の基準範囲内である」（工程Ｓ４−１）と「イオン（Ｎａ+，Ｃｌ-，Ｃａ2+）濃度の実測値の少なくとも１つがイオン濃度の計算値の基準範囲内である」（工程Ｓ４−４）との条件を満たすが、「イオン濃度の実測値の全てがイオン濃度の計算値の基準範囲内である」（工程Ｓ４−２）と「ｐＨの実測値が基準範囲内である」（工程Ｓ４−５）との条件を満たさないことが確認された。よって、試験体３は、海水に何かが混入されたものであると判定された。
【００８９】
試験体４についても、試験体１と同様、図２に示す第４の工程Ｓ４、すなわち、図３および図４に示す判定工程（前記Ｓ４−１〜Ｓ４−１０）により判定した。試験体４は、「イオン（Ｎａ+，Ｃｌ-，Ｃａ2+）濃度の計算値が、イオン濃度の基準範囲内である」（工程Ｓ４−１）と「イオン濃度の実測値の少なくとも１つが基準範囲下限値以上である」（工程Ｓ４−７）との条件を満たさないが、「イオン濃度の実測値がイオン濃度の計算値の基準範囲外である」（工程Ｓ４−６）と「導電率の実測値が１０００μＳ／ｃｍ以下である」（工程Ｓ４−１０）との条件を満たすことが確認された。よって、試験体４は、淡水であると判定された。
【００９０】
上述した試験体１は、「海水」であり、判定結果と一致することが確認された。上述した試験体２は、「海水が希釈されたもの」であり、判定結果と一致することが確認された。上述した試験体３は、「海水に何かが混入したもの」であり、判定結果と一致することが確認された。上述した試験体４は、「淡水」であり、判定結果と一致することが確認された。
【００９１】
よって、上述した液状物質の簡易判定方法および簡易判定装置によれば、液状物質が海水由来か否かについて、従来よりも簡便、且つ迅速に判定することができることが明らかとなった。
【産業上の利用可能性】
【００９２】
本発明に係る液状物質の簡易判定装置および簡易判定方法は、液状物質が海水由来か否かを簡便、且つ迅速に判定することができるので、産業上、極めて有益に利用することができる。
【符号の説明】
【００９３】
１              液状物質
２              容器
１１            導電率計
１２            ｐＨ計
１３            イオンメータ
２０            コンピュータ
２１            記憶部
２２            海水の基準値設定部
２３            基準範囲演算部
２４            イオン濃度演算部
２５            イオン濃度比率演算部
２６            判定部
２７            判定結果表示部
【図１】
2015161561.tif 000009
【図２】
2015161561.tif 000010
【図３】
2015161561.tif 000011
【図４】
2015161561.tif 000012